(57)【要約】【課題】映像を表示する表示パネルに向けて照射された光を拡散する拡散板を備え、該拡散板が収縮した場合でも、前記拡散板を支持することができる表示装置を提供する。【解決手段】蛍光管８を保持するランプホルダ９に、拡散板１０の縁を支持する支持面９ｃを形成し、該支持面９ｃに複数のリブ９０を隣接させて、拡散板１０における縁の内側をリブ９０にて支持する構成とした。このため拡散板１０が収縮して拡散板１０の縁が支持面９ｃから外れた場合に、拡散板１０の縁がリブ９０にて支持される。【選択図】図３
2010002616.tif 000002
【特許請求の範囲】
【請求項１】
映像を表示する表示パネルと、該表示パネルに対向し、光源から照射された光を前記表示パネルに向けて拡散する拡散板とを備える表示装置において、
前記拡散板の縁に沿って配置してある複数の杆体を備え、
該杆体に、複数のリブを長手方向に並設してあり、
該リブは、前記拡散板における縁の内側を支持するようにしてあること
を特徴とする表示装置。
【請求項２】
前記杆体は、前記拡散板の縁を支持するための長手方向に沿う帯状の支持面を備え、
該支持面に隣接させて、前記リブを長手方向に並設してあること
を特徴とする請求項１に記載の表示装置。
【請求項３】
前記リブと前記支持面とを連ねてあることを特徴とする請求項２に記載の表示装置。
【請求項４】
前記リブは、前記拡散板に向けて膨らんだ曲面を備え、
該曲面にて、前記拡散板における縁の内側を支持するようにしてあること
を特徴とする請求項１から３のいずれか一つに記載の表示装置。
【請求項５】
前記拡散板は矩形状をなし、
前記拡散板の互いに対向する縁に沿って前記杆体を配置してあることを特徴とする請求項１から４のいずれか一つに記載の表示装置。
【請求項６】
前記光源は複数の蛍光管であり、
前記杆体の側面に、前記蛍光管を挿入する複数の挿入口が長手方向に並設してあり、
該挿入口と前記リブとを隣接させてあること
を特徴とする請求項１から５のいずれか一つに記載の表示装置。
【発明の詳細な説明】
【技術分野】
【０００１】
本発明は、映像を表示する表示パネルに向けて照射された光を拡散する拡散板を備え、該拡散板が収縮した場合でも、前記拡散板を支持することができる表示装置に関する。
【背景技術】
【０００２】
一般に液晶表示装置は、映像を表示する表示パネルに、光源の光を照射して映像を表示しており、表示パネルへの光の照射は、光を拡散する拡散板を介して行われる。拡散板は加熱及び冷却により伸縮する性質を有しており、伸縮に対応して支持される必要がある。
【０００３】
特許文献１に記載の液晶表示装置は、拡散板の縁に沿って設けてある枠状の支持部を備えており、該支持部は、前記拡散板の縁部分を全周に亘って支持する支持面を備えている。前記支持面には所定の幅が設けてあり、前記拡散板が収縮した場合でも前記拡散板を支持することができる。また前記拡散板の外周よりも外側に空間を設けて、前記拡散板が伸長した場合に、拡散板が支持部に当接して拡散板にシワが発生することを回避している。このためシワの発生により光の拡散が不十分となり、表示パネルに表示される映像の品質が低下することを防ぐことができる。
【特許文献１】特開２００７−１９３２３８号公報
【発明の開示】
【発明が解決しようとする課題】
【０００４】
近年、表示画面の大画面化を図る一方で、液晶表示装置全体の大型化を回避するために、額縁を狭くした液晶表示装置が開発されている。特許文献１に記載の液晶表示装置において、額縁を狭くするためには、前記支持面の幅を狭くする必要がある。しかし前記支持面の幅を狭くすると、拡散板が収縮した場合に、拡散板が前記支持面から外れ、脱落する虞がある。
【０００５】
本発明は斯かる事情に鑑みてなされたものであり、拡散板の縁を支持する支持面から、拡散板の縁が外れても、拡散板の脱落を防止することができる表示装置を提供することを目的とする。
【課題を解決するための手段】
【０００６】
本発明に係る表示装置は、映像を表示する表示パネルと、該表示パネルに対向し、光源から照射された光を前記表示パネルに向けて拡散する拡散板とを備える表示装置において、前記拡散板の縁に沿って配置してある複数の杆体を備え、該杆体に、複数のリブを長手方向に並設してあり、該リブは、前記拡散板における縁の内側を支持するようにしてあることを特徴とする。
【０００７】
本発明においては、前記拡散板の縁に沿って複数の杆体を設け、該杆体に、複数のリブを長手方向に並設して、前記拡散板における縁の内側を、前記リブにて支持する。このため拡散板が収縮しても、拡散板の縁は前記杆体に設けたリブから外れることなく、前記拡散板は前記リブにて支持される。
【０００８】
本発明に係る表示装置は、前記杆体は、前記拡散板の縁を支持するための長手方向に沿う帯状の支持面を備え、該支持面に隣接させて、前記リブを長手方向に並設してあることを特徴とする。
【０００９】
本発明においては、前記杆体に、前記拡散板の縁を支持するための長手方向に沿う帯状の支持面を設け、該支持面に前記リブを隣接させることによって、前記支持面及びリブの間に段差が発生することを防止する。また拡散板が収縮し、拡散板の縁が前記杆体から外れた場合には、前記拡散板は前記リブにて支持される。
【００１０】
本発明に係る表示装置は、前記リブと前記支持面とを連ねてあることを特徴とする。
【００１１】
本発明においては、リブと支持面とを連ねることによって、前記拡散板の伸縮を前記支持面及びリブ上にて円滑に行わせて、拡散板にシワが発生することを抑制する。
【００１２】
本発明に係る表示装置は、前記リブは、前記拡散板に向けて膨らんだ曲面を備え、該曲面にて、前記拡散板における縁の内側を支持するようにしてあることを特徴とする。
【００１３】
本発明においては、前記拡散板に向けて膨らんでおり、前記リブに形成された曲面にて、前記拡散板における縁の内側を支持し、前記拡散板が伸縮した場合に、前記拡散板に傷が発生することを防止する。
【００１４】
本発明に係る表示装置は、前記拡散板は矩形状をなし、前記拡散板の互いに対向する縁に沿って前記杆体を配置してあることを特徴とする。
【００１５】
本発明においては、前記拡散板の互いに対向する縁に沿って、前記杆体を配置して、前記拡散板を安定に支持する。
【００１６】
本発明に係る表示装置は、前記光源は複数の蛍光管であり、前記杆体の側面に、前記蛍光管を挿入する複数の挿入口が長手方向に並設してあり、該挿入口と前記リブとを隣接させてあることを特徴とする。
【００１７】
本発明においては、前記蛍光管を挿入する挿入口に前記リブを隣接させて、前記蛍光管の光を、前記表示パネルにおける前記リブに接近している部分に、十分に投光し、リブの影が表示パネルに表出することを回避する。
【発明の効果】
【００１８】
本発明に係る表示装置にあっては、拡散板の縁に沿って複数の杆体を配置し、該杆体に、複数のリブを長手方向に並設して、前記拡散板における縁よりも内側を、前記リブにて支持する。これにより、前記拡散板が収縮し、前記拡散板の縁が前記杆体から外れても、前記拡散板を前記リブにて支持し、前記拡散板の脱落を防止することができる。
【発明を実施するための最良の形態】
【００１９】
以下本発明をその実施の形態を示す図面に基づいて詳述する。図１は実施の形態に係る縦置きにした表示装置を示す模式的外観図、図２は図１のＩＩ―ＩＩ線における略示側面断面図、図３は図１のＩＩＩ―ＩＩＩ線における略示平面断面図、図４はランプホルダ、第１パネル保持杆及びバックライトシャーシの略示斜視図、図５はリブの略示拡大図である。
【００２０】
図示の表示装置は、矩形枠状のフロントキャビネット１を備えており、該フロントキャビネット１は、後述する表示パネル７を視認するための矩形の開口部１ｂを備えている。前記フロントキャビネット１の背面側に、矩形箱状のリヤキャビネット２が設けてあり、該リヤキャビネット２の上下縁部にそれぞれ二つの係合凹部２ａが設けてある。また該係合凹部２ａに係合する係合爪部１ａが前記フロントキャビネット１の上下縁部に設けてあり、前記係合爪部１ａ及び係合凹部２ａを係合させて、前記フロントキャビネット１と前記リヤキャビネット２とを連結している。
【００２１】
前記リヤキャビネット２の正面側に、矩形箱状のバックライトシャーシ３が設けてある。該バックライトシャーシ３の正面上下縁部に沿って、表示パネル７を保持するための二つの第１パネル保持杆４、４がそれぞれ設けてある。該第１パネル保持杆４の正面にて、映像を表示する矩形の表示パネル７の背面上下縁部が、弾性部材５を介して支持されている。また前記表示パネル７の正面の全周に亘り、弾性部材５を介してベゼル６が設けてあり、該ベゼル６と前記第１パネル保持杆４とにより、前記表示パネル７の上下縁部が挟持されている。
【００２２】
また図３に示すように、前記バックライトシャーシ３の正面左右縁部に沿って、蛍光管８を保持する二つの杆状のランプホルダ９、９がそれぞれ設けてある。該ランプホルダ９は、前記バックライトシャーシ３の正面左右縁部に沿って上下方向に並設してある複数のソケット部９ａ、９ａ、・・・、９ａを備えており、左右に対向するソケット部９ａ、９ａ、・・・、９ａの間に、複数の蛍光管８、８、・・・、８が保持されている。また該蛍光管８、８、・・・、８の正面側には、光を拡散する拡散板１０が配置してある。
【００２３】
前記ランプホルダ９は、前記ソケット部９ａ、９ａ、・・・、９ａの正面を覆っており、左右寸法よりも上下寸法が長い正面板部９ｂを備えている。該正面板部９ｂは、前記拡散板１０の左縁部全体又は右縁部全体に沿って配されており、該正面板部９ｂの正面（以下支持面という）９ｃにて、前記拡散板１０の左右縁部全体を支持している。前記拡散板１０の左右縁部の外側には、拡散板１０が伸縮した場合に、拡散板１０にシワが発生することを防止するための空間が設けてある。
【００２４】
前記ランプホルダ９は、前記正面板部９ｂに連なり、前記ソケット部９ａ、９ａ、・・・、９ａの蛍光管８側の側面を覆う側面板部９ｄを備えている。該側面板部９ｄの上下寸法は、奥行寸法よりも長くなっており、側面板部９ｄには、複数の挿入口９ｅ、９ｅ、・・・、９ｅが上下方向に並設されている。該挿入口９ｅ、９ｅ、・・・、９ｅに前記蛍光管８、８、・・・、８は挿入され、前記ソケット部９ａ、９ａ、・・・、９ａにて保持されている。
【００２５】
奥行寸法よりも左右寸法が長い板状の複数のリブ９０、９０、・・・、９０が、前記ランプホルダ９にて、上下方向に等配してある。該リブ９０、９０、・・・、９０は、前記挿入口９ｅ、９ｅ、・・・、９ｅと前記支持面９ｃとの間に位置しており、前記挿入口９ｅ、９ｅ、・・・、９ｅに隣接している。またリブ９０の正面（以下リブ正面という）９０ａは、前記支持面９ｃに連なっている。前記リブ正面９０ａは、正面側に向けて膨らんだ曲面になっており、リブ正面９０ａの頂面部分は、前記支持面９ｃと略同一面上にある。また前記リブ正面９０ａに連なるリブ９０の角部分には、面取りを施してある。前記リブ正面９０ａは、前記拡散板１０の左右縁の内側を支持している。
【００２６】
前記ランプホルダ９は、前記正面板部９ｂから前記ソケット部９ａ、９ａ、・・・、９ａと反対側に向けて延出した、バックライトシャーシ３に平行な延出板部９ｆを備えている。右側に配置してあるランプホルダ９の延出板部９ｆの正面及び左側に配置してあるランプホルダ９の延出板部９ｆの正面に、前記表示パネル７の左右縁部を保持するための二つの第２パネル保持杆１１、１１が、前記表示パネル７の左右縁部に沿ってそれぞれ設けてある。
【００２７】
前記第２パネル保持杆１１、１１の正面に、前記表示パネル７を配置してあり、前記表示パネル７の左右縁部が、弾性部材５を介して、前記第２パネル保持杆１１、１１に支持されている。また前記表示パネル７の正面の全周に亘り、弾性部材５を介して前記ベゼル６が設けてあり、前記ベゼル６と前記第２パネル保持杆１１、１１とにより、前記表示パネル７の左右縁部が挟持されている。
【００２８】
次に前記リブの機能について説明する。図６は、支持面から外れる前の拡散板１０及び外れた後の拡散板１０を示す模式的部分平面断面図である。
図６（ａ）に示すように、前記拡散板１０が前記支持面９ｃから外れていない場合には、前記拡散板１０の左右縁部は、前記支持面９ｃ及びリブ正面９０ａにて支持されている。前記拡散板１０が冷却により収縮して、前記拡散板１０の左右縁部が前記支持面９ｃから外れた場合には、図６（ｂ）に示すように、前記拡散板１０の左右縁部は前記リブ正面９０ａにて支持され、前記拡散板１０は前記ランプホルダ９、９から脱落しない。
【００２９】
実施の形態に係る表示装置にあっては、拡散板１０の収縮により前記拡散板１０の縁が前記支持面９ｃから外れても、前記支持面９ｃに連なるリブ正面９０ａにて、前記拡散板１０を支持し、前記拡散板１０の脱落を防止することができる。
【００３０】
前記リブ正面９０ａが前記支持面９ｃよりも背面側に位置し、支持面９ｃとリブ正面９０ａとの間に段差がある場合であって、拡散板１０の縁部分がリブ正面９０ａ上に位置するときには、前記段差を乗り越えない限り、拡散板１０の縁部分はリブ正面９０ａから支持面９ｃへ移動することができない。実施の形態に係る表示装置にあっては、支持面９ｃとリブ正面９０ａとを隣接させることによって、前記支持面９ｃと前記リブ正面９０ａとの間に段差を発生させず、拡散板１０が伸長した場合に、拡散板１０の縁部分をリブ正面９０ａから支持面９ｃへ容易に移動させることができる。
【００３１】
また前記支持面９ｃと前記リブ正面９０ａとを連ねることによって、前記拡散板１０の伸縮は、前記支持面９ｃ及びリブ正面９０ａ上にて、円滑に行われ、前記拡散板１０にシワが発生することを抑制し、映像の品質が低下することを回避することができる。
【００３２】
また前記リブ正面９０ａを曲面にし、前記リブ正面９０ａに連なるリブ９０の角部分に、面取りを施すことによって、前記拡散板１０が伸縮した場合に、拡散板１０に傷が発生することを防止し、前記拡散板１０の耐用期間が短くなることを回避することができる。
【００３３】
また前記拡散板１０の左右縁部に沿って前記ランプホルダ９、９をそれぞれ設けることにより、前記拡散板１０を前記支持面９ｃ、９ｃにて安定に支持することができる。
【００３４】
また前記リブ９０は、前記挿入口９ｅに隣接しており、前記蛍光管８の直近に設けてある。従って、前記表示パネル７における前記リブ９０が接近している部分は、蛍光管８によって十分に投光され、前記表示パネル７にリブ９０の影が表出することはない。仮に表出したとしても、表出したリブ９０の影は薄く、リブ９０の影をユーザが知覚することは難しい。よって前記リブ９０の存在が、表示パネル７に表示された映像の品質に影響を与えることはない。
【００３５】
なお前記拡散板１０が、右側又は左側に偏った状態で配置された場合にも、前記拡散板１０の左右縁部は前記支持面９ｃ及びリブ正面９０ａにて支持されることは言うまでもない。また前記拡散板１０の上下縁部を支持する支持部材を設け、該支持部材にリブを設けて、該リブにより、前記拡散板１０の上下縁部を支持する構成にしても良い。また前記支持部材及びランプホルダ９、９を連結するか又は一体化して枠体を形成し、該枠体にて拡散板１０の縁全体を支持するように構成しても良い。また蛍光管８に代えて、白色ダイオードを使用しても良い。
【００３６】
なお表示装置は、前記表示パネル７を駆動するための図示しない駆動回路を備えており、図示しないインバータ回路から駆動回路へ給電が行われ、駆動回路への給電により、前記表示パネル７が駆動し、映像が表示される。
【図面の簡単な説明】
【００３７】
【図１】実施の形態に係る縦置きにした表示装置を示す模式的外観図である。
【図２】図１のＩＩ―ＩＩ線における略示側面断面図である。
【図３】図１のＩＩＩ―ＩＩＩ線における略示平面断面図である。
【図４】実施の形態に係る表示装置のランプホルダ、第１パネル保持杆及びバックライトシャーシの略示斜視図である。
【図５】実施の形態に係る表示装置のリブの略示拡大図である。
【図６】実施の形態に係る表示装置の、支持面から外れる前の拡散板及び外れた後の拡散板を示す模式的部分平面断面図である。
【符号の説明】
【００３８】
１  フロントキャビネット
２  リヤキャビネット
７  表示パネル
８  蛍光管（光源）
９  ランプホルダ（杆体）
９ｃ  支持面
１０  拡散板
９０  リブ
９０ａ  リブ正面
【図１】
2010002616.tif 000003
【図２】
2010002616.tif 000004
【図３】
2010002616.tif 000005
【図４】
2010002616.tif 000006
【図５】
2010002616.tif 000007
【図６】
2010002616.tif 000008